(57)【要約】【課題】内周面に球面状の外輪軌道面を有する外輪と、外周面に前記外輪軌道面に対向する複列の内輪軌道面を有する内輪と、前記外輪軌道面と内輪軌道面との間に転動自在に複列に配置される複数のころと、前記ころを転動方向に等間隔に保持する保持器と、ころの列間でころの端面を案内する案内輪とを備える自動調心ころ軸受において、案内輪の内径側面取りと側面テーパー部との境界が、ころの頭部と接触することによる案内輪の磨耗を防止する。【解決手段】案内輪の内径側面取りと側面テーパーとの境界と、ころの端面と面取り部との境界が接触しないように、案内輪内径寸法、案内輪内径側面取り寸法、ころ端面の面取りぶところ端面との境界の位置を設定する。具体的には、内輪外径面から案内輪の前記境界までの距離をｈ５、内輪外径面からころ端面の前記境界までの距離をｈ３としたとき、ｈ３＜２×ｈ５となる様に、上記各寸法を設定する。【選択図】図２
2014196776.tif 000002
【特許請求の範囲】
【請求項１】
内周面に球面状の外輪軌道面を有する外輪と、外周面に前記外輪軌道面に対向する複列の内輪軌道面を有する内輪と、前記外輪軌道面と内輪軌道面との間に転動自在に複列に配置される複数のころと、前記ころを転動方向に等間隔に保持する保持器と、前記ころの列間の配置される案内輪とを備える自動調心ころ軸受用において、案内輪の内径側面取り部と側面テーパー部との境界にころの端面が接触しないよう、内輪外径面から案内輪の内径側面取り部と側面テーパー部との境界までの半径方向寸法をｈ５、内輪外径面からころの端面と面取り部との境界までの半径方向寸法をｈ３としたとき、ｈ３＜２×ｈ５とすることを特徴とする自動調心ころ軸受。
【発明の詳細な説明】
【技術分野】
【０００１】
本発明は、鉄鋼設備や製紙設備に用いられ、大きな負荷や自重によって撓みを生じる回転軸を支持するための自動調心ころ軸受に関するものである。
【背景技術】
【０００２】
鉄鋼設備や製紙機械のロール等で用いられる自動調心ころ軸受は、図１に示すような構成となっており、内周面に球面状の外輪軌道面１ａを有する外輪１と、外径面に外輪軌道面１ａと対向する複列の球面状の内輪軌道面２ａを有する内輪２と、外輪軌道面１ａ及び内輪軌道面２ａとの間を転動自在且つ複列に配置される複数のころ３と、ころ３の転動方向の間隔を一定に保持する保持器４と、ころ３の列間に配置される案内輪５と、を備えている。
【０００３】
図１に示す自動調心ころ軸受１０において、案内輪５は、ころ３がスキューすることなく転動出来るよう、ころ３の端面（頭部）を案内している。案内輪５によるころ３のスキュー防止の効果は、一般的にころ３と案内輪５との隙間が小さい程大きく、高速回転下や高荷重下で使用する場合には、ころ３と案内輪５の隙間をゼロ、または負にして使用することがある。そのような場合、ころ３と案内輪５との接触部に大きな力が発生するため、案内輪５に凝着磨耗よるはく離を生じることがある。特に、案内輪５の側面と内径側面取り部との境界のころが接触する場合において、前記境界を起点とした損傷が生じる虞がある。
【０００４】
案内輪の磨耗対策に関する先行技術として、特許文献１には、案内輪の案内面と平行面との境界及びころ頭部のエッジ部を丸めることにより、局部的な高い接触面圧の発生をなくし、局部磨耗を防止する発明が開示されている。また、特許文献２には、案内輪を内輪案内とし、案内輪側面ところ端面とが、点接触するようにし、案内輪ところとの間に油膜を形成し易くして磨耗を防ぐ発明が開示されている。
【先行技術文献】
【特許文献】
【０００５】
【特許文献１】特開２００７−１００９３４号公報
【特許文献２】特許３７８９６９８号公報
【発明の概要】
【発明が解決しようとする課題】
【０００６】
しかしながら、特許文献１に記載の発明では、案内輪と接触するころ端面の形状がフラットである場合や、案内輪ところとの相対的な位置関係によっては、案内輪の内径部ところとが接触し、局部磨耗を生じる虞がある。また、特許文献２に記載の発明では、案内輪ところ端面との間に油膜を形成しやすくするもとを目的としているが、自動調心ころ軸受は、高荷重且つ極低速、例えば１０ｒｐｍ以下の条件で使用されることがあり、このような条件において、油膜の形成は困難なため、磨耗を防止できない虞がある。また、ころ頭部と、案内輪内径部面取りと側面テーパー部との境界部とが接触した場合には、軸受の回転速度に係らず油膜形成は困難であり、案内輪の損傷防止対策とては不十分である。
【０００７】
本発明は上記課題を解決するものであり、ころ頭部と、案内輪の内径部面取りと側面テーパー部との境界との接触による案内輪の損傷を防止すること目的とする。
【課題を解決するための手段】
【０００８】
上記目的を達成するため、本発明の請求項１に係る発明は、内周面に球面状の外輪軌道面を有する外輪と、外周面に前記外輪軌道面に対向する複列の内輪軌道面を有する内輪と、前記外輪軌道面と内輪軌道面との間に転動自在に複列に配置される複数のころと、前記ころを転動方向に等間隔に保持する保持器と、前記ころの列間の配置される案内輪とを備える自動調心ころ軸受用において、案内輪の内径側面取り部と側面テーパー部との境界にころの端面が接触しないよう、内輪外径面から案内輪の内径側面取り部と側面テーパー部との境界までの半径方向寸法をｈ５、内輪外径面からころの端面と面取り部との境界までの半径方向寸法をｈ３としたとき、ｈ３＜２×ｈ５とすることを特徴とする。
【発明の効果】
【０００９】
本発明によれば、自動調心ころ軸受の案内輪の内径及び、内径側の面取り寸法を適切な値と、且つ、ころ端面と面取りとの間のエッジにだらしを施す事によって、案内輪の内径側面取り部と側面テーパー部とのエッジにころ端面が接触するのを防止することで、案内輪の局所磨耗を防ぐことができる。
【図面の簡単な説明】
【００１０】
【図１】従来の自動調心ころ軸受の構成を示す図である。
【図２】本発明による自動調心ころ軸受の実施態様を示す図である。
【発明を実施するための形態】
【００１１】
以下に、本発明の実施系体を図に基づいて説明する。
図２（ａ）及び図２（ｂ）は、本発明による自動調心ころ軸受の第一の実施形態である。複列自動調心ころ軸受１００は、内周面に球面状の外輪軌道面１ａを有する外輪１と、外周面に外輪１の軌道面と対向する複列の内輪軌道面２ａを有する内輪２と、前記外輪軌道面１ａと内輪軌道面２ａとの間に転動自在に配置される複数のころ３０と、ころ３を周方向に略等間隔に保持する保持器４と、ころ３の列間に配置される円環状の案内輪５０と、から構成される。ころ３０は、転動面３１と、端面３２と、転動面３１と端面３２との境界に形成された面取り部３３と、端面３２と面取り部３３との境界のエッジ３４と、が形成されている。案内輪５０の軸方向端面には、軸方向両端面に端面のテーパー部５１と、内径側面取り部５２と、が形成されている。
【００１２】
案内輪のテーパー部５１と案内輪内径側面取り部５２との境界５３に、ころ３０が接触しないために、ころ３０及び案内輪５０は下記の寸法条件を有する。すなはち、内輪外径面からころ３０のエッジ３４の半径方向寸法をｈ３、内輪外径面から案内輪５０のテーパー部５１と内径側面取り部５２との境界５３の半径方向寸法をｈ５、としたとき、ｈ３＞２×ｈ５となる様に、案内輪５０の内径寸法及び内径側面取り寸法と、ころ３０のエッジ３４の位置を設定する。これにより案内輪５０が半径方向の何れかに偏った場合においても、案内輪境界５３と、ころエッジ３４との接触を防止することができる。
【００１３】
また、ころエッジ３４にだらし部３５を形成することにより前記ｈ３をさらに大きくしてもよい。さらに案内輪面取り部５２の面取り寸法を小さく、例えばＲ０．２以下とし、前記ｈ５をより小さくしても良い。これらにより、たとえば、案内輪内径面の磨耗等により案内輪内径と内輪外径面との半径方向隙間が大きくなった場合にも、境界５３ところエッジ３４との接触防止効果をより持続することができる。
【符号の説明】
【００１４】
１００  自動調心ころ軸受
１      外輪
１ａ    外輪軌道面
２      内輪
２ａ    内輪軌道面
３０    ころ
３１    転動面
３２    端面
３３    面取り部
３４    エッジ３４
４      保持器
５０    案内輪
５１    テーパー部
５２    面取り部
５３    境界
【図１】
2014196776.tif 000003
【図２】
2014196776.tif 000004